(57)【要約】【課題】色ぼやけ現象を改善することのできる表示装置を提供する。【解決手段】表示装置において、温度センサは、表示装置の周辺温度をセンシングし、タイミングコントローラはセンシングされた温度に基づいてグリーンデータ、レッドデータ及びブルーデータをグリーン補償データ、レッド補償データ及びブルー補償データに各々変換するＤＣＣブロックを具備する。予め設定された補正ガンマ値に基づいてレッド、グリーン及びブルーデータをガンマ補正し、補正されたレッド、グリーン及びブルーデータを出力するＡＣＣブロックは、ＤＣＣブロックに先行または後行することができる。このように、ＡＣＣブロックとＤＣＣブロックが共に具備される場合、ＤＣＣブロックは、レッド、グリーン及びブルーデータの各々を互いに異なる補正値を用いて補償することによって、レッド、グリーン及びブルーサブピクセル間の応答速度偏差を除去することができる。【選択図】図１
2011059657.tif 000002
【特許請求の範囲】
【請求項１】
温度の変化をセンシングする温度センサと、
センシングされた温度に基づいてグリーンデータ、レッドデータ及びブルーデータをグリーン補償データ、レッド補償データ及びブルー補償データに各々補償するＤＣＣブロックを含むタイミングコントローラと、
前記レッド補償データ、前記グリーン補償データ及び前記ブルー補償データをデータ電圧に変換して出力するデータ駆動回路と、
前記データ電圧が入力されて映像が表示される表示パネルとを含むことを特徴とする表示装置。
【請求項２】
前記温度によって異なるグリーン補正値が格納された複数のグリーンルックアップテーブルと、前記温度によって異なるレッド補正値が格納された複数のレッドルックアップテーブルと、前記温度によって異なるブルー補正値が格納された複数のブルールックアップテーブルと、を含むＥＥＰＲＯＭをさらに含むことを特徴とする請求項１に記載の表示装置。
【請求項３】
前記ＤＣＣブロックは、
前記複数のグリーンルックアップテーブルのうち前記センシングされた温度に対応するグリーンルックアップテーブルを選択し、選択されたグリーンルックアップテーブルの前記グリーン補正値を用いて前記グリーンデータを補償するグリーンデータ補償部と、
前記複数のレッドルックアップテーブルのうち前記センシングされた温度に対応するレッドルックアップテーブルを選択し、選択されたレッドルックアップテーブルの前記レッド補正値を用いて前記レッドデータを補償するレッドデータ補償部と、
前記複数のブルールックアップテーブルのうち前記センシングされた温度に対応するブルールックアップテーブルを選択し、選択されたブルールックアップテーブルの前記ブルー補正値を用いて前記ブルーデータを補償するブルーデータ補償部とを含むことを特徴とする請求項２に記載の表示装置。
【請求項４】
現在フレームデータのＮビットと以前フレームデータの上位ｍビットとを１フレームの間格納するフレームメモリをさらに含み（ｍは１以上の自然数であり、Ｎはｍより大きい自然数）、
前記選択されたグリーンルックアップテーブルには現在フレームのグリーンデータの上位ｍビットと、前記フレームメモリに格納された以前フレームのグリーンデータのｍビットとが入力され、これに基づき対応するｍビットの前記グリーン補正値を出力し、
前記選択されたレッドルックアップテーブルには現在フレームのレッドデータの上位ｍビットと、前記フレームメモリに格納された以前フレームのレッドデータのｍビットとが入力され、これに基づき対応するｍビットの前記レッド補正値を出力し、
前記選択されたブルールックアップテーブルには現在フレームのブルーデータの上位ｍビットと、前記フレームメモリに格納された以前フレームのブルーデータのｍビットとが入力され、これに基づき対応するｍビットの前記ブルー補正値を出力することを特徴とする請求項３に記載の表示装置。
【請求項５】
前記グリーンデータ補償部は、前記グリーン補正値と前記現在フレームのグリーンデータの下位ビットとを用いてＮビットの前記グリーン補償データを出力し、
前記レッドデータ補償部は、前記レッド補正値と前記現在フレームのレッドデータの下位ビットとを用いてＮビットの前記レッド補償データを出力し、
前記ブルーデータ補償部は、前記ブルー補正値と前記現在フレームのブルーデータの下位ビットとを用いてＮビットの前記ブルー補償データを出力することを特徴とする請求項４に記載の表示装置。
【請求項６】
予め設定された基準温度に対応するグリーン補正値が格納されたグリーンルックアップテーブルと、前記基準温度に対応するレッド補正値が格納されたレッドルックアップテーブルと、前記基準温度に対応するブルー補正値が格納されたブルールックアップテーブルとを含むＥＥＰＲＯＭをさらに含むことを特徴とする請求項１に記載の表示装置。
【請求項７】
前記ＤＣＣブロックは、
前記グリーン補正値に前記センシングされた温度によって変わる第１加重値を掛けて第１補正値を生成し、前記第１補正値に基づいて前記グリーンデータを補償するグリーンデータ補償部と、
前記レッド補正値に前記センシングされた温度によって変わる第２加重値を掛けて第２補正値を生成し、前記第２補正値に基づいて前記レッドデータを補償するレッドデータ補償部と、
前記ブルー補正値に前記センシングされた温度によって変わる第３加重値を掛けて第３補正値を生成し、前記第３補正値に基づいて前記ブルーデータを補償するブルーデータ補償部とを含むことを特徴とする請求項６に記載の表示装置。
【請求項８】
前記第１乃至第３加重値の各々の大きさは、前記基準温度より前記センシングされた温度が高いほど減少し、前記基準温度より前記センシングされた温度が低いほど増加することを特徴とする請求項７に記載の表示装置。
【請求項９】
前記温度によって異なるグリーン補正値が格納された複数のグリーンルックアップテーブルを含むＥＥＰＲＯＭをさらに含むことを特徴とする請求項１に記載の表示装置。
【請求項１０】
前記ＤＣＣブロックは、
前記複数のグリーンルックアップテーブルのうち前記センシングされた温度に対応するグリーンルックアップテーブルを選択し、選択されたグリーンルックアップテーブルに格納されたグリーン補正値に基づいて前記グリーンデータを補償するグリーンデータ補償部と、
前記選択されたグリーンルックアップテーブルに格納されたグリーン補正値にレッドオフセットを加算してレッド補正値を取得し、前記レッド補正値に基づいて前記レッドデータを補償するレッドデータ補償部と、
前記選択されたグリーンルックアップテーブルに格納された前記グリーン補正値にブルーオフセットを加算してブルー補正値を取得し、前記ブルー補正値に基づいて前記ブルーデータを補償するブルーデータ補償部とを含むことを特徴とする請求項９に記載の表示装置。
【発明の詳細な説明】
【技術分野】
【０００１】
本発明は表示装置に係り、より詳細には、色ぼやけ（ｃｏｌｏｒｅｄ  ｂｌｕｒ）現象を改善することができる表示装置に関する。
【背景技術】
【０００２】
一般的に液晶表示装置は２つの表示基板とその間に介在される液晶層からなる。このような液晶表示装置は、最近では、コンピュータの表示装置だけではなく、テレビの表示画面等として広く使われることによって、動画を実現する必要性が高まっている。しかし、従来の液晶表示装置は、液晶の応答速度が遅いため、動画の実現が難しいという短所があった。したがって、液晶の応答速度を補償するために、応答速度を補償する方式が適用されてきている。また、最近では液晶表示装置の色特性を向上するために色補正方式が適用されてきている。
【０００３】
しかし、このような応答速度補正方式と色補正方式とを共に適用する場合、ピクセル間の応答速度の偏差による色ぼやけ現象などが発生することがあった。
【発明の概要】
【発明が解決しようとする課題】
【０００４】
本発明の目的は、ピクセル間の応答速度の偏差を改善し、色ぼやけ現象を防止するための表示装置を提供することにある。
【課題を解決するための手段】
【０００５】
本発明に係る表示装置は、温度センサと、タイミングコントローラと、データ駆動回路と、表示パネルとを含む。温度センサは温度変化をセンシングする。タイミングコントローラはセンシングされた温度に基づいて、グリーンデータ、レッドデータ及びブルーデータを、グリーン補償データ、レッド補償データ及びブルー補償データに各々変換するＤＣＣブロックを含む。
【０００６】
データ駆動回路は、レッド補償データ、グリーン補償データ及びブルー補償データをデータ電圧に変換して出力する。表示パネルにデータ電圧が入力されることにより映像が表示される。
【発明の効果】
【０００７】
このような表示装置によると、ＤＣＣブロックは、レッド、グリーン及びブルーデータの各々を、互いに異なる補正値を用いて補償することによって、レッド、グリーン及びブルーサブピクセル間の応答速度の偏差を除去することができる。したがって、このような応答速度の偏差によって画面上に色ぼやけ現象などが発生することを防止することができる。
【図面の簡単な説明】
【０００８】
【図１】本発明の一実施形態に係る表示装置のブロック図である。
【図２】図１に示したタイミングコントローラのブロック図である。
【図３】図２に示したＡＣＣブロックの入力階調によるレッド、グリーン及びブルーデータの出力階調を示すグラフである。
【図４】図１に示したＥＥＰＲＯＭの構成図である。
【図５】図２に示したＤＣＣブロックの構成図である。
【図６】本発明の他の実施形態に係るＤＣＣブロックの構成図である。
【図７】本発明の他の実施形態に係るＥＥＰＲＯＭの構成図である。
【図８】図７に示したＥＥＰＲＯＭを参照するＤＣＣブロックの構成図である。
【図９】図８に示したレッド及びブルーオフセットを示すグラフである。
【図１０】図７に示したＥＥＰＲＯＭを参照する本発明のまた他の実施形態に係るＤＣＣブロックの構成図である。
【図１１】本発明のまた他の実施形態に係るＤＣＣブロックの構成図である。
【図１２】本発明の他の実施形態に係るタイミングコントローラのブロック図である。
【発明を実施するための形態】
【０００９】
以下、添付の図面を参照して本発明の望ましい実施形態をより詳細に説明する。
【００１０】
図１は、本発明の一実施形態に係る表示装置のブロック図であり、図２は、図１に示したタイミングコントローラのブロック図である。
【００１１】
図１を参照すると、表示装置１００は、温度センサ１１０と、タイミングコントローラ１２０と、ＥＥＰＲＯＭ１３１と、フレームメモリ１３２と、データ駆動回路１４０と、ゲート駆動回路１５０と、表示パネル１６０とを含む。
【００１２】
温度センサ１１０は、表示装置１００の周辺温度をセンシングし、センシングされた温度に対応する温度データＴｅｍｐをタイミングコントローラ１２０に供給する。
【００１３】
タイミングコントローラ１２０には、外部装置から制御信号ＣＳ及び現在映像信号Ｇｎが入力される。現在映像信号Ｇｎは、レッドデータＲＤｎ、グリーンデータＧＤｎ及びブルーデータＢＤｎを含む。タイミングコントローラ１２０に現在映像信号Ｇｎが入力されると、フレームメモリ１３２に予め格納されていた以前映像信号Ｇｎ−１が読み出され、現在映像信号Ｇｎをフレームメモリ１３２に書き込む。
【００１４】
図２を参照すると、タイミングコントローラ１２０は、色補正ブロック（Ａｃｃｕｒａｔｅ  Ｃｏｌｏｒ  Ｃａｐｔｕｒｅ、以下‘ＡＣＣブロック’という）１２１と、応答速度補正ブロック（Ｄｙｎａｍｉｃ  Ｃａｐａｃｉｔａｎｃｅ  Ｃａｐｔｕｒｅ、以下‘ＤＣＣブロック’という）１２２と、データ処理ブロック１２３と、制御信号生成ブロック１２４とを含む。
【００１５】
ＡＣＣブロック１２１は、表示装置１００のガンマ特性によって予め設定された補正ガンマ値に基づき、レッド、グリーン及びブルーデータＲＤｎ、ＧＤｎ、ＢＤｎをガンマ補正し、補正されたレッド、グリーン及びブルーデータＡ−ＲＤｎ、Ａ−ＧＤｎ、Ａ−ＢＤｎを出力する。すなわち、表示装置１００において、レッド、グリーン及びブルーガンマ特性が互いに異なるので、表示装置１００は同一の階調を有するレッド、グリーン及びブルーデータＲＤｎ、ＧＤｎ、ＢＤｎに対して互いに異なる輝度を示す。例えば、ブルーデータＢＤｎの輝度が最も高く、レッドデータＲＤｎの輝度が最も低く、グリーンデータＧＤｎの輝度は２つの輝度の中値として示される。
【００１６】
このような輝度差を補償するために、ＡＣＣブロック１２１は基準ガンマ特性（例えば、２．２ガンマ）を設定し、各階調での基準ガンマ特性とレッド、グリーン及びブルーガンマ特性との各々の偏差を、補正ガンマ値として設定する。したがって、ＡＣＣブロック１２１は、レッド、グリーン及びブルーデータＲＤｎ、ＧＤｎ、ＢＤｎの各々に対応する補正ガンマ値を加算または減算して輝度差を補償する。
【００１７】
図３は、図１に示したＡＣＣブロックの入力階調によるレッド、グリーン及びブルーデータの出力階調を示す図である。ただし、図３において、第１グラフＡ１はグリーンデータの入力階調による出力階調を示し、第２グラフＡ２はレッドデータの入力階調による出力階調を示し、第３グラフＡ３はブルーデータの入力階調による出力階調を示す。
【００１８】
図３に示すように、レッド、グリーン及びブルーデータＲＤｎ、ＧＤｎ、ＢＤｎが同一の階調としてＡＣＣブロック１２１に供給されても、ＡＣＣブロック１２１はこれらが互いに異なる階調値を有するように補償して上述した輝度差を減少させる。特に、図３では、ＡＣＣブロック１２１に入力されるデータのビット数よりも大きな拡張されたビット数を有する値に補正される例を示した。例えば、ＡＣＣブロック１２１は５１２階調で互いに同一の階調値を有するレッド、グリーン及びブルーデータＲＤｎ、ＧＤｎ、ＢＤｎの供給を受け、２０４８階調のグリーンデータＡ−ＧＤｎ、２０４８階調より高い階調値を有するレッドデータＡ−ＲＤｎ、及び２０４８階調より低い階調値を有するブルーデータＡ−ＢＤｎを出力する。これによって、レッド、グリーン及びブルーデータＡ−ＲＤｎ、Ａ−ＧＤｎ、Ａ−ＢＤｎによる白色座標（ｗｈｉｔｅ  ｃｏｌｏｒ  ｃｏｏｒｄｉｎａｔｅ）は、すべての階調でほぼ一定に維持されることができるため、その結果、表示装置１００の色特性を向上させることができる。
【００１９】
一方、図２に示したＤＣＣブロック１２２は、現在フレームの応答速度を改善するために、現在映像信号Ｇｎと以前映像信号Ｇｎ−１との階調差によって予め設定された補正値に基づいて現在映像信号Ｇｎの階調値を補償する。すなわち、ＤＣＣブロック１２２は、現在映像信号Ｇｎの階調値を目標階調値より増加させるものである。特に、本発明の一実施形態において、ＤＣＣブロック１２２はＡＣＣブロック１２１によって色補正されたレッド、グリーン及びブルーデータＡ−ＲＤｎ、Ａ−ＧＤｎ、Ａ−ＢＤｎの各々の応答速度を補償してもよい。
【００２０】
そのため、ＥＥＰＲＯＭ１３１は、レッドデータＡ−ＲＤｎを補償するために用いられるレッド補正値が格納されたレッドルックアップテーブルと、グリーンデータＡ−ＧＤｎを補償するために用いられるグリーン補正値が格納されたグリーンルックアップテーブルと、ブルーデータＡ−ＢＤｎを補償するために用いられるブルー補正値が格納されたブルールックアップテーブルと、を有してもよい。したがって、ＤＣＣブロック１２２は、レッドルックアップテーブルのレッド補正値に基づいてレッドデータＡ−ＲＤｎをレッド補償データＤ−ＲＤｎに補償し、グリーンルックアップテーブルのグリーン補正値に基づいてグリーンデータＡ−ＧＤｎをグリーン補償データ−ＧＤｎに補償し、ブルールックアップテーブルのブルー補正値に基づいてブルーデータＢ−ＧＤｎをブルー補償データＤ−ＢＤｎに補償してもよい。
【００２１】
しかし、表示装置１００の応答速度は温度によって変わるので、温度センサ１１０を通じて出力された温度データＴｅｍｐに従って、レッド、グリーン及びブルー補正値を異なるように設定することが好ましい。具体的には、温度が上昇すれば、応答速度が速くなるので、各補正値を減少させ、温度が下降すれば、応答速度が遅くなるので、各補正値を増加させてもよい。
【００２２】
図４は、図１に示したＥＥＰＲＯＭの構成図である。
【００２３】
図４を参照すると、ＥＥＰＲＯＭ１３１は、温度によって異なるレッド補正値が格納された複数のレッドルックアップテーブルＲ＿ＬＵＴ１〜Ｒ＿ＬＵＴｍと、温度によって異なるグリーン補正値が格納された複数のグリーンルックアップテーブルＧ＿ＬＵＴ１〜Ｇ＿ＬＵＴｍと、温度によって異なるブルー補正値が格納された複数のブルールックアップテーブルＢ＿ＬＵＴ１〜Ｂ＿ＬＵＴｍとを含んでもよい。したがって、タイミングコントローラ１２０は、温度センサ１１０から供給される温度データＴｅｍｐに対応する選択信号Ｔｅｍｐ＿ｓｅｌを生成し、ＥＥＰＲＯＭ１３１に含まれた複数のレッドルックアップテーブルＲ＿ＬＵＴ１〜Ｒ＿ＬＵＴｍのうちのいずれか１つの選択されたレッドルックアップテーブルＬＵＴ＿ｓｅｌと、複数のグリーンルックアップテーブルＧ＿ＬＵＴ１〜Ｇ＿ＬＵＴｍのうちのいずれか１つの選択されたグリーンルックアップテーブルＬＵＴ＿ｓｅｌと、複数のブルールックアップテーブルＢ＿ＬＵＴ１〜Ｂ＿ＬＵＴｍのうちのいずれか１つの選択されたブルールックアップテーブルＬＵＴ＿ｓｅｌと、を選択することができる。このとき、ＤＣＣブロック１２２は、選択されたレッド、グリーン及びブルールックアップテーブルＬＵＴ＿ｓｅｌを各々参照し、レッド、グリーン及びブルーデータＡ−ＲＤｎ、Ａ−ＧＤｎ、Ａ−ＢＤｎを各々補償することができる。
【００２４】
ＤＣＣブロック１２２に対しては図４乃至図１０を参照して具体的に説明する。
【００２５】
データ処理ブロック１２３は、ＤＣＣブロック１２２で生成されたレッド、グリーン及びブルー補償データＤ−ＲＤｎ、Ｄ−ＧＤｎ、Ｄ−ＢＤｎのデータフォーマットを変換させ、変換されたレッド、グリーン及びブルーデータＲＤｎ’、ＧＤｎ’、ＢＤｎ’をデータ駆動回路１４０に供給する。
【００２６】
制御信号生成ブロック１２４は、外部から供給された制御信号ＣＳに基づいてデータ制御信号Ｄ＿ＣＳと、ゲート制御信号Ｇ＿ＣＳと、を生成する。制御信号ＣＳは、垂直同期信号、水平同期信号、メインクロック、データイネーブル信号などを含んでもよい。
【００２７】
再び、図１を参照すると、データ制御信号Ｄ＿ＣＳは、データ駆動回路１４０の動作を制御する信号としてデータ駆動回路１４０に供給される。データ制御信号Ｄ＿ＣＳは、データ駆動回路１４０の動作を開始する水平開始信号、データ電圧の極性を反転させる反転信号、及びデータ駆動回路１４０からデータ電圧が出力される時期を決める出力指示信号などを含んでもよい。
【００２８】
ゲート制御信号Ｇ＿ＣＳは、ゲート駆動回路１５０の動作を制御するための信号としてゲート駆動回路１５０に供給される。ゲート制御信号Ｇ＿ＣＳはゲート駆動回路１５０の動作を開始する垂直開始信号、ゲートパルスの出力時期を決めるゲートクロック信号、及びゲートパルスのパルス幅を決める出力イネーブル信号などを含んでもよい。
【００２９】
データ駆動回路１４０には、タイミングコントローラ１２０からのデータ制御信号Ｄ＿ＣＳに同期してレッド、グリーン及びブルーデータＲＤｎ’、ＧＤｎ’、ＢＤｎ’が入力される。また、データ駆動回路１４０にはガンマ基準電圧発生部（図示しない）から生成されたガンマ基準電圧が入力され、レッド、グリーン及びブルーデータＲＤｎ’、ＧＤｎ’、ＢＤｎ’をガンマ基準電圧に基づいてデータ電圧Ｄ１〜ＤＭに変換して出力する。
【００３０】
ゲート駆動回路１５０には、電圧発生部（図示しない）から生成されたゲートオン電圧Ｖｏｎ及びゲートオフ電圧Ｖｏｆｆが入力され、タイミングコントローラ１２０からのゲート制御信号Ｄ＿ＣＳに同期してゲートオン電圧Ｖｏｎとゲートオフ電圧Ｖｏｆｆとの間で変動（ｓｗｉｎｇ）する複数のゲート信号Ｇ１〜ＧＮを順次に出力する。
【００３１】
表示パネル１６０は、複数の画素を具備し、複数の画素は行単位で複数のゲート信号Ｇ１〜ＧＮに順次に応答し、複数のデータ電圧Ｄ１〜ＤＭを対応する画素行に供給する。したがって、各画素行には複数のデータ電圧が充電され、充電された電圧の大きさによって液晶層の光透過率が制御されることによって、表示パネル１６０には所望の映像を表示させることができる。
【００３２】
タイミングコントローラ１２０は、１つのチップで形成されてもよく、図示していないが、タイミングコントローラ１２０のチップにはＥＥＰＲＯＭ１３１及びフレームメモリ１３２を内蔵してもよい。
【００３３】
図５は、図２に示したＤＣＣブロックの構成図である。
【００３４】
図５を参照すると、ＤＣＣブロック１２２は、グリーンデータ補償部Ｇ＿ＤＣＣと、レッドデータ補償部Ｒ＿ＤＣＣと、ブルーデータ補償部Ｂ＿ＤＣＣとを含む。
【００３５】
グリーンデータ補償部Ｇ＿ＤＣＣは、ＥＥＰＲＯＭ１３１に格納された複数のグリーンルックアップテーブルＧ＿ＬＵＴ１〜Ｇ＿ＬＵＴｍ（図４に示す）のうち、センシングされた温度に対応するグリーンルックアップテーブルＧ＿ＬＵＴ＿ｓｅｌを選択し、選択されたグリーンルックアップテーブルＧ＿ＬＵＴ＿ｓｅｌのグリーン補正値ＩＧを用いてグリーンデータＡ−ＧＤｎを補償する。
【００３６】
図１に示したフレームメモリ１３２は、現在映像信号ＧｎのＮビットと以前映像信号Ｇｎ−１の上位ｍビットを１フレームの間格納する。本発明の一実施形態において、ｍは１以上の自然数であり、Ｎはｍより大きい。
【００３７】
選択されたグリーンルックアップテーブルＧ＿ＬＵＴ＿ｓｅｌには、現在フレームのグリーンデータＡ−ＧＤｎの上位ｍビットと、フレームメモリ１３２に格納された以前フレームのグリーンデータＡ−ＧＤｎ−１のｍビットとが入力され、これに基づき対応するｍビットのグリーン補正値ＩＧを出力する。したがって、グリーンデータ補償部Ｇ＿ＤＣＣは、グリーン補正値ＩＧと現在フレームのグリーンデータＡ−ＧＤｎの下位ビットとを用いて、Ｎビットのグリーン補償データＤ−ＧＤｎを出力する。すなわち、応答速度改善のために、グリーン補償データＤ−ＧＤｎはグリーンデータＡ−ＧＤｎよりも高い階調値を有する。
【００３８】
レッドデータ補償部Ｒ＿ＤＣＣは、複数のレッドルックアップテーブルＲ＿ＬＵＴ１〜Ｒ＿ＬＵＴｍのうち、センシングされた温度に対応するレッドルックアップテーブルＲ＿ＬＵＴ＿ｓｅｌを選択し、選択されたレッドルックアップテーブルＲ＿ＬＵＴ＿ｓｅｌのレッド補正値ＩＲを用いてレッドデータＡ−ＲＤｎを補償する。
【００３９】
選択されたレッドルックアップテーブルＲ＿ＬＵＴ＿ｓｅｌには、現在フレームのレッドデータＡ＿ＲＤｎの上位ｍビットと、フレームメモリ１３２に格納された以前フレームのレッドデータＡ＿ＲＤｎ−１のｍビットとが入力され、これにより対応するｍビットのレッド補正値ＩＲを出力する。レッドデータ補償部Ｒ＿ＤＣＣはレッド補正値ＩＲと現在フレームのレッドデータＡ−ＲＤｎの下位ビットとを用いてＮビットのレッド補償データＤ−ＲＤｎを出力する。応答速度改善のために、レッド補償データＤ−ＲＤｎはレッドデータＡ−ＲＤｎよりも高い階調値を有する。
【００４０】
ブルーデータ補償部Ｂ＿ＤＣＣは、複数のブルールックアップテーブルＢ＿ＬＵＴ１〜Ｂ＿ＬＵＴｍのうちセンシングされた温度に対応するブルールックアップテーブルＢ＿ＬＵＴ＿ｓｅｌを選択し、選択されたブルールックアップテーブルＢ＿ＬＵＴ＿ｓｅｌのブルー補正値ＩＢを用いてブルーデータＡ−ＢＤｎを補償する。
【００４１】
選択されたブルールックアップテーブルＢ＿ＬＵＴ＿ｓｅｌには、現在フレームのブルーデータＡ−ＢＤｎの上位ｍビットと、フレームメモリ１３２に格納された以前フレームのブルーデータＡ−ＢＤｎ−１のｍビットとが入力され、これに基づき対応するｍビットのブルー補正値ＩＢを出力する。ブルーデータ補償部Ｂ＿ＤＣＣは、ブルー補正値ＩＢと現在フレームのブルーデータＡ−ＢＤｎの下位ビットとを用いてＮビットのブルー補償データＤ−ＢＤｎを出力する。応答速度改善のために、ブルー補償データＤ−ＢＤｎはブルーデータＡ−ＢＤｎよりも高い階調値を有する。
【００４２】
上述したように、ＤＣＣブロック１２２は、ＡＣＣブロック１２１によって色補正されたレッド、グリーン及びブルーデータＡ−ＲＤｎ、Ａ−ＧＤｎ、Ａ−ＢＤｎの各々を、レッド、グリーン及びブルーデータ補償部Ｒ＿ＤＣＣ、Ｇ＿ＤＣＣ、Ｂ＿ＤＣＣを通じて各々独立的に応答速度を補償することによって、レッド、グリーン及びブルーデータＡ−ＲＤｎ、Ａ−ＧＤｎ、Ａ−ＢＤｎの階調偏差によりレッド、グリーン及びブルーサブピクセル間で応答速度偏差が発生することを防止することができる。また、このような応答速度の偏差を除去することによって、表示装置１００の画面上に色ぼやけ現象が発生することを防止することができる。
【００４３】
図６は、本発明の他の実施形態に係るＤＣＣブロックの構成図である。
【００４４】
本発明の他の実施形態によると、ＥＥＰＲＯＭ１３１には基準グリーンルックアップテーブルＧ＿ＬＵＴ＿ｒｅｆ、基準レッドルックアップテーブルＲ＿ＬＵＴ＿ｒｅｆ及び基準ブルールックアップテーブルＢ＿ＬＵＴ＿ｒｅｆが格納されてもよい。基準グリーンルックアップテーブルＧ＿ＬＵＴ＿ｒｅｆには予め設定された基準温度に対応するグリーン補正値が格納され、基準レッドルックアップテーブルＲ＿ＬＵＴ＿ｒｅｆには基準温度に対応するレッド補正値が格納され、基準ブルールックアップテーブルＢ＿ＬＵＴ＿ｒｅｆには基準温度に対応するブルー補正値が格納される。すなわち、このとき、ＥＥＰＲＯＭ１３１に格納されるルックアップテーブルの数は３個に減少させることができる。
【００４５】
図６を参照すると、基準グリーンルックアップテーブルＧ＿ＬＵＴ＿ｒｅｆには、現在フレームのグリーンデータＡ−ＧＤｎの上位ｍビットと、フレームメモリ１３２に格納された以前フレームのグリーンデータＡ−ＧＤｎ−１のｍビットとが入力され、これに基づき対応するｍビットのグリーン補正値ＩＧを出力する。
【００４６】
基準レッドルックアップテーブルＲ＿ＬＵＴ＿ｒｅｆには、現在フレームのレッドデータＡ−ＲＤｎの上位ｍビットと、フレームメモリ１３２に格納された以前フレームのレッドデータＡ−ＲＤｎ−１のｍビットとが入力され、これに基づき対応するｍビットのレッド補正値ＩＲを出力する。
【００４７】
また、基準ブルールックアップテーブルＢ＿ＬＵＴ＿ｒｅｆには、現在フレームのブルーデータＡ−ＢＤｎの上位ｍビットと、フレームメモリ１３２に格納された以前フレームのブルーデータＡ−ＢＤｎ−１のｍビットとが入力され、これに基づき対応するｍビットのブルー補正値ＩＢを出力する。
【００４８】
本発明の他の実施形態に係るＤＣＣブロック１２２は、グリーンデータ補償部Ｇ＿ＤＣＣと、レッドデータ補償部Ｒ＿ＤＣＣと、ブルーデータ補償部Ｂ＿ＤＣＣとを含む。
【００４９】
グリーンデータ補償部Ｇ＿ＤＣＣは、基準グリーンルックアップテーブルＧ＿ＬＵＲ＿ｒｅｆから出力されたグリーン補正値ＩＧに温度センサ１１０（図１に示す）を通じてセンシングされた温度によって変わる第１加重値Ｗａを掛けて第１補正値Ｉ１を生成する。したがって、グリーンデータ補償部Ｇ＿ＤＣＣは第１補正値Ｉ１に基づいてグリーンデータＡ−ＧＤｎをグリーン補償データＤ−ＧＤｎに変換することができる。
【００５０】
レッドデータ補償部Ｒ＿ＤＣＣは、基準レッドルックアップテーブルＲ＿ＬＵＲ＿ｒｅｆから出力されたレッド補正値ＩＲにセンシングされた温度によって変わる第２加重値Ｗｂを掛けて第２補正値Ｉ２を生成する。したがって、レッドデータ補償部Ｒ＿ＤＣＣは、第２補正値Ｉ２に基づいてレッドデータＡ−ＲＤｎをレッド補償データＤ−ＲＤｎに変換することができる。
【００５１】
ブルーデータ補償部Ｂ＿ＤＣＣは、基準ブルールックアップテーブルＢ＿ＬＵＲ＿ｒｅｆから出力されたブルー補正値ＩＢにセンシングされた温度によって変わる第３加重値Ｗｃを掛けて第３補正値Ｉ３を生成する。したがって、ブルーデータ補償部Ｂ＿ＤＣＣは第３補正値Ｉ３に基づいてブルーデータＡ＿ＢＤｎをブルー補償データＤ−ＢＤｎに変換することができる。
【００５２】
本発明の一例として、第１乃至第３加重値Ｗａ、Ｗｂ、Ｗｃの各々の大きさは基準温度よりセンシングされた温度が高いほど減少し、基準温度よりセンシングされた温度が低いほど増加する。
【００５３】
図７は、本発明の他の実施形態に係るＥＥＰＲＯＭの構成図であり、図８は、図７に示したＥＥＰＲＯＭを参照するＤＣＣブロックの構成図であり、図９は、図８に示したレッド及びブルーオフセット（ｒｅｄ  ａｎｄ  ｂｌｕｅ  ｏｆｆｓｅｔ）を示すグラフである。
【００５４】
図７を参照すると、本発明の他の実施形態に係るＥＥＰＲＯＭ１３１は、温度によって異なるグリーン補正値が格納された複数のグリーンルックアップテーブルＧ＿ＬＵＴ１〜Ｇ＿ＬＵＴｍを含んでもよい。例えば、複数のグリーンルックアップテーブルＧ＿ＬＵＴ１〜Ｇ＿ＬＵＴｍは４個乃至８個であってもよい。したがって、タイミングコントローラ１２０は、温度センサ１１０から供給される温度データＴｅｍｐに対応する選択信号Ｔｅｍｐ＿ｓｅｌを生成し、ＥＥＰＲＯＭ１３１に含まれる複数のグリーンルックアップテーブルＧ＿ＬＵＴ１〜Ｇ＿ＬＵＴｍのうちのいずれか１つの選択されたグリーンルックアップテーブルＧ＿ＬＵＴ＿ｓｅｌを選択してもよい。
【００５５】
図８を参照すると、選択されたグリーンルックアップテーブルＧ＿ＬＵＴ＿ｓｅｌには、現在フレームのグリーンデータＡ−ＧＤｎの上位ｍビットとフレームメモリ１３２に格納された以前フレームのグリーンデータＡ−ＧＤｎ−１のｍビットが入力され、これに基づき対応するｍビットのグリーン補正値ＩＧを出力する。
【００５６】
一方、ＤＣＣブロック１２２は、グリーンデータ補償部Ｇ＿ＤＣＣと、レッドデータ補償部Ｒ＿ＤＣＣと、ブルーデータ補償部Ｂ＿ＤＣＣとを含む。
【００５７】
グリーンデータ補償部Ｇ＿ＤＣＣは、グリーン補正値ＩＧと現在フレームのグリーンデータＡ−ＧＤｎの下位ビットとを用いてＮビットのグリーン補償データＤ−ＧＤｎを出力する。
【００５８】
レッドデータ補償部Ｒ＿ＤＣＣは、選択されたグリーンルックアップテーブルＧ＿ＬＵＴ＿ｓｅｌに格納されたグリーン補正値ＩＧに、レッドオフセットＲ＿ｏｆｆｓｅｔを加算してレッド補正値ＩＲを取得し、レッド補正値ＩＲに基づいてレッドデータＡ−ＲＤｎを補償する。
【００５９】
ブルーデータ補償部Ｂ＿ＤＣＣは、選択されたグリーンルックアップテーブルＧ＿ＬＵＴ＿ｓｅｌに格納されたグリーン補正値ＩＧに、ブルーオフセットＢ＿ｏｆｆｓｅｔを加算してブルー補正値ＩＢを取得し、ブルー補正値ＩＢに基づいてブルーデータＡ−ＢＤｎを補償する。
【００６０】
一方、選択されたグリーンルックアップテーブルＧ＿ＬＵＴ＿ｓｅｌには、現在フレームのレッドデータＡ−ＲＤｎの上位ｍビットと、フレームメモリ１３２に格納された以前フレームのレッドデータＡ−ＲＤｎ−１のｍビットとが入力され、これに基づき対応するｍビットのレッド測定値を出力し、現在フレームのブルーデータＡ−ＢＤｎの上位ｍビットと、フレームメモリ１３２に格納された以前フレームのブルーデータＡ−ＢＤｎ−１のｍビットとが入力され、これに基づき対応するｍビットのブルー測定値をさらに出力してもよい。
【００６１】
このとき、レッドオフセットＲ＿ｏｆｆｓｅｔは、グリーン補正値ＩＧとレッド測定値との差で定義され、ブルーオフセットＢ＿ｏｆｆｓｅｔは、グリーン補正値ＩＧとブルー測定値との差で定義される。
【００６２】
図９において、第４及び第５グラフＤ１、Ｅ１は、現在フレームデータの階調によるグリーンルックアップテーブルのグリーン補正値を示す。第６及び第７グラフＤ２、Ｅ２は、現在フレームデータの階調によるグリーンルックアップテーブルのレッド測定値を示す。第８及び第９グラフＤ３、Ｅ３は、現在フレームデータの階調によるグリーンルックアップテーブルのブルー測定値を示す。
【００６３】
図９を参照すると、グリーン補正値ＩＧとレッド測定値との差で定義されるレッドオフセットＲ＿ｏｆｆｓｅｔは、最小レッドオフセットＲ＿ｏｆｆｓｅｔ＿ｍｉｎ（例えば、−４０）乃至最大レッドオフセットＲ＿ｏｆｆｓｅｔ＿ｍａｘ（例えば、９６）の値を有してもよい。また、グリーン補正値ＩＧとブルー測定値との差で定義されるブルーオフセットＢ＿ｏｆｆｓｅｔは、最小ブルーオフセットＢ＿ｏｆｆｓｅｔ＿ｍｉｎ（例えば、−１０８）乃至最大ブルーオフセットＢ＿ｏｆｆｓｅｔ＿ｍａｘ（例えば、１７６）の値を有してもよい。
【００６４】
このような範囲を有するレッド及びブルーオフセットＲ＿ｏｆｆｓｅｔ、Ｂ＿ｏｆｆｓｅｔが、グリーン補正値ＩＧに加算されるためには、８ビット信号（−１２７乃至＋１２８）または１０ビット信号（−５１１乃至＋５１２）などに変換されなければならない。そのために、実際のレッド及びブルーオフセットＲ＿ｏｆｆｓｅｔ、Ｂ＿ｏｆｆｓｅｔの範囲が−１２７乃至＋１２８で設定された８ビット範囲に調整されるか、または−５１１乃至＋５１２で設定された１０ビット範囲に調整されてもよい。
【００６５】
図１０は、図７に示したＥＥＰＲＯＭを参照する本発明のまた他の実施形態に係るＤＣＣブロックの構成図である。
【００６６】
図１０に示したＤＣＣブロック１２２は、図７に示したＥＥＰＲＯＭ１３１を参照するので、この場合、タイミングコントローラ１２０は温度センサ１１０から供給される温度データＴｅｍｐに対応する選択信号Ｔｅｍｐ＿ｓｅｌを生成し、ＥＥＰＲＯＭ１３１に含まれた複数のグリーンルックアップテーブルＧ＿ＬＵＴ１〜Ｇ＿ＬＵＴｍのうちのいずれか１つの選択されたグリーンルックアップテーブルＧ＿ＬＵＴ＿ｓｅｌを選択する。選択されたグリーンルックアップテーブルＧ＿ＬＵＴ＿ｓｅｌには、現在フレームのグリーンデータＡ−ＧＤｎの上位ｍビットと、フレームメモリ１３２に格納された以前フレームのグリーンデータＡ−ＧＤｎ−１のｍビットとが入力され、これに基づき対応するｍビットのグリーン補正値ＩＧを出力する。
【００６７】
また、選択されたグリーンルックアップテーブルＧ＿ＬＵＴ＿ｓｅｌには、現在フレームのレッドデータＡ−ＲＤｎの上位ｍビットと、フレームメモリ１３２に格納された以前フレームのレッドデータＡ−ＲＤｎ−１のｍビットとが入力され、これに基づき対応するｍビットのレッド測定値を出力し、現在フレームのブルーデータＡ−ＢＤｎの上位ｍビットと、フレームメモリ１３２に格納された以前フレームのブルーデータＡ−ＢＤｎ−１のｍビットとが入力され、これに基づき対応するｍビットのブルー測定値をさらに出力してもよい。
【００６８】
図１０を参照すると、ＤＣＣブロック１２２のグリーンデータ補償部Ｇ＿ＤＣＣは、グリーン補正値ＩＧと現在フレームのグリーンデータＡ−ＧＤｎの下位ビットとを用いてＮビットのグリーン補償データＤ−ＧＤｎを出力する。
【００６９】
レッドデータ補償部Ｒ＿ＤＣＣは、第１レッドオフセットＲ＿ｏｆｆｓｅｔ１にレッド加重値Ｗｂを掛けて第２レッドオフセットＲ＿ｏｆｆｓｅｔ２を生成し、グリーン補正値ＩＧに第２レッドオフセットＲ＿ｏｆｆｓｅｔ２を加算してレッド補正値ＩＲを取得する。ここで、第１レッドオフセットＲ＿ｏｆｆｓｅｔ１は、グリーン補正値ＩＧとレッド測定値との差の値で定義される。また、レッド加重値Ｗｂは、温度データＴｅｍｐの大きさによって可変する値であってもよい。したがって、レッドデータ補償部Ｒ＿ＤＣＣは、レッド補正値ＩＲと現在フレームのレッドデータＡ−ＲＤｎの下位ビットとを用いてＮビットのレッド補償データＤ−ＲＤｎを出力する。
【００７０】
一方、ブルーデータ補償部Ｂ＿ＤＣＣは、第１ブルーオフセットＢ＿ｏｆｆｓｅｔ１にブルー加重値Ｗｃを掛けて第２ブルーオフセットＢ＿ｏｆｆｓｅｔ２を生成し、グリーン補正値ＩＧに第２ブルーオフセットＢ＿ｏｆｆｓｅｔ２を加算してブルー補正値ＩＢを取得する。ここで、第１ブルーオフセットＢ＿ｏｆｆｓｅｔ１は、グリーン補正値ＩＧとブルー測定値との差値で定義される。また、ブルー加重値Ｗｃは温度データＴｅｍｐの大きさによって可変する値であってもよい。したがって、ブルーデータ補償部Ｂ＿ＤＣＣは、ブルー補正値ＩＢと現在フレームのブルーデータＡ−ＢＤｎの下位ビットとを用いてＮビットのブルー補償データＤ−ＢＤｎを出力する。
【００７１】
図１１は、本発明のまた他の実施形態に係るＤＣＣブロックの構成図である。
【００７２】
図１１に示したＤＣＣブロック１２２は、基準温度に対応して設定された１つの基準グリーンルックアップテーブルＧ＿ＬＵＴ＿ｒｅｆを具備するＥＥＰＲＯＭ１３１を参照してもよい。この場合、基準グリーンルックアップテーブルＧ＿ＬＵＴ＿ｒｅｆには、現在フレームのグリーンデータＡ−ＧＤｎの上位ｍビットと、フレームメモリ１３２に格納された以前フレームのグリーンデータＡ−ＧＤｎ−１のｍビットとが入力され、これに基づき対応するｍビットのグリーン補正値ＩＧを出力する。
【００７３】
図１１を参照すると、ＤＣＣブロック１２２は、グリーンデータ補償部Ｇ＿ＤＣＣと、レッドデータ補償部Ｒ＿ＤＣＣと、ブルーデータ補償部Ｂ＿ＤＣＣとを含む。
【００７４】
グリーンデータ補償部Ｇ＿ＤＣＣは、基準グリーンルックアップテーブルＧ＿ＬＵＴ＿ｒｅｆから出力されたグリーン補正値ＩＧに温度センサ１１０（図１に示す）を通じて供給される温度データＴｅｍｐによって変わる第１加重値Ｗａを掛けて第１補正値Ｉ１を生成する。したがって、グリーンデータ補償部Ｇ＿ＤＣＣは、第１補正値Ｉ１に基づいてグリーンデータＡ−ＧＤｎをグリーン補償データＤ−ＧＤｎに変換してもよい。
【００７５】
レッドデータ補償部Ｒ＿ＤＣＣは、第１レッドオフセットＲ＿ｏｆｆｓｅｔ１に第２加重値Ｗｂを掛けて第２レッドオフセットＲ＿ｏｆｆｓｅｔ２を生成し、グリーン補正値ＩＧに第２レッドオフセットＲ＿ｏｆｆｓｅｔ２を加算して第２補正値Ｉ２を取得する。ここで、第１レッドオフセットＲ＿ｏｆｆｓｅｔ１は、グリーン補正値ＩＧとレッド測定値との差値で定義される。また、第２加重値Ｗｂは、温度データＴｅｍｐの大きさによって可変する値であってもよい。したがって、レッドデータ補償部Ｒ＿ＤＣＣは第２補正値Ｉ２に基づいてレッドデータＡ−ＲＤｎをレッド補償データＤ−ＲＤｎに変換してもよい。
【００７６】
一方、ブルーデータ補償部Ｂ＿ＤＣＣは、第１ブルーオフセットＢ＿ｏｆｆｓｅｔ１に第３加重値Ｗｃを掛けて第２ブルーオフセットＢ＿ｏｆｆｓｅｔ２を生成し、グリーン補正値ＩＧに第２ブルーオフセットＢ＿ｏｆｆｓｅｔ２を加算して第３補正値Ｉ３を取得する。ここで、第１ブルーオフセットＢ＿ｏｆｆｓｅｔ１は、グリーン補正値ＩＧとブルー測定値との差値で定義される。また、第３加重値Ｗｃは、温度データＴｅｍｐの大きさによって可変する値であってもよい。したがって、ブルーデータ補償部Ｂ＿ＤＣＣは、第３補正値Ｉ３に基づいてブルーデータＡ−ＢＤｎをブルー補償データＤ−ＢＤｎに変換してもよい。
【００７７】
上述のように、ＤＣＣブロック１２２は、ＡＣＣブロック１２１によって色補正されたレッド、グリーン及びブルーデータＡ−ＲＤｎ、Ａ−ＧＤｎ、Ａ−ＢＤｎの各々をレッド、グリーン及びブルーデータ補償部Ｒ＿ＤＣＣ、Ｇ＿ＤＣＣ、Ｂ＿ＤＣＣを通じて、各々独立的に応答速度を補償することによって、レッド、グリーン及びブルーデータＡ−ＲＤｎ、Ａ−ＧＤｎ、Ａ−ＢＤｎの階調偏差によりレッド、グリーン及びブルーサブピクセル間で応答速度の偏差が発生することを防止することができる。また、このような応答速度の偏差を除去することによって、表示装置１００の画面上に色ぼやけ現象が発生することを防止することができる。
【００７８】
また、図５乃至図１１に示したＤＣＣブロック１２２の構造によってＥＥＰＲＯＭ１３１に具備されるルックアップテーブルの個数を多様に変化させることもできる。すなわち、ルックアップテーブルの個数を減少させるほどＥＥＰＲＯＭ１３１のサイズを減少させるのに効率的である。
【００７９】
図１２は、本発明の他の実施形態に係るタイミングコントローラのブロック図である。ただし、図１２に示した構成要素のうち図２に示した構成要素と同一の構成要素に対しては同一の参照符号を併記し、それに対する具体的な説明は省略する。
【００８０】
図１２を参照すると、本発明の他の実施形態に係るタイミングコントローラ１７０は、ＤＣＣブロック１７１と、ＡＣＣブロック１７２と、データ処理ブロック１７３と、制御信号生成ブロック１７４とを含む。すなわち、図１２に示したタイミングコントローラ１７０は、ＤＣＣブロック１７１がＡＣＣブロック１７２より先行するという側面において、図２に示したタイミングコントローラ１２０と異なっている。
【００８１】
このような構造であっても、ＤＣＣブロック１７１は図５乃至図１１に提示された構成を有することができる。すなわち、レッド、グリーン及びブルーデータＲＤｎ、ＧＤｎ、ＢＤｎの各々に対して応答速度を補償した後、ＡＣＣブロック１７２によって色補正が実行される。したがって、ＡＣＣブロック１７２によって色補正されたレッド、グリーン及びブルーデータＡ−ＲＤｎ、Ａ−ＧＤｎ、Ａ−ＢＤｎが表示パネル１６０に供給されても、レッド、グリーン及びブルーサブピクセル間で応答速度の偏差が発生することを防止することができる。
【００８２】
以上、実施形態を参照して説明したが、当該技術分野の熟練された当業者は、特許請求の範囲に記載した本発明の思想及び領域から逸脱しない範囲内で本発明を多様に修正及び変更させることができることを理解することができる。
【図１】
2011059657.tif 000003
【図２】
2011059657.tif 000004
【図３】
2011059657.tif 000005
【図４】
2011059657.tif 000006
【図５】
2011059657.tif 000007
【図６】
2011059657.tif 000008
【図７】
2011059657.tif 000009
【図８】
2011059657.tif 000010
【図９】
2011059657.tif 000011
【図１０】
2011059657.tif 000012
【図１１】
2011059657.tif 000013
【図１２】
2011059657.tif 000014